(57)【要約】【課題】  車両の前後それぞれに空調ユニットを搭載する車両において、前席側空間に座る乗員の前方の視界を狭くすることなく、天井から空調風を吹き出すことで効率よく空調を行なうことが可能な車両用空調装置を提供することを目的とする。【解決手段】  後席側空間に座る乗員の上半身へ向けて後席側空間の天井から空調風を吹き出すために後席側空間の天井に配策された通風ダクトに、前席側空間の天井に配策された通風ダクト延長部を接続し、この通風ダクト延長部に前席側空間に座る乗員の上半身へ向けて前席側空間の天井から空調風を吹き出すことで前席側空間を空調する前席側開口部を設ける。【選択図】        図１
2005029049.tif 000002
【特許請求の範囲】
【請求項１】
運転席及び助手席（３ａ）が設置される前席側空間（３）を空調する前席側空調ユニット（５）と、
後部座席（４ａ、４ｂ）が設置される後席側空間（４）を空調する後席側空調ユニット（６）とを有し、
前記後席側空調ユニット（６）には、前記後席側空間（４）の天井（４ｃ）に配策された通風ダクト（１２、１５、１６）が接続されており、
前記通風ダクト（１２、１５、１６）は、前記後席側空間（４）に座る乗員の上半身へ向けて前記後席側空間の天井（４ｃ）から空調風を吹き出す後席側開口部（１５ａ、１５ｂ、１６ａ、１６ｂ）を有する車両用空調装置において、
前記通風ダクト（１２、１５、１６）には、前記前席側空間（３）の天井（３ｂ）に配策された通風ダクト延長部（１９、２０）が接続されており、
前記通風ダクト延長部（１９、２０）には、前記前席側空間（３）に座る乗員の上半身へ向けて前記前席側空間（３）の天井（３ｂ）から空調風を吹き出す前席側開口部（１９ａ、２０ａ）が設けられていることを特徴とする車両用空調装置。
【請求項２】
前記通風ダクト延長部（１９、２０）には、前記前席側開口部（１９ａ、２０ａ）から吹き出す空調風の流路を開閉するドア（１９ｂ、２０ｂ）が設けられていることを特徴とする請求項１に記載の車両用空調装置。
【請求項３】
前記通風ダクト延長部（１９、２０）は、前記通風ダクト（１２、１５、１６）の下流側端部に接続されていることを特徴とする請求項１または２に記載の車両用空調装置。
【発明の詳細な説明】
【技術分野】
【０００１】
本発明は、ワンボックス車など、比較的車室内空間の大きな車両に用いて好適な、車両用空調装置に関するものである。
【背景技術】
【０００２】
一般にワンボックス車などを空調する車両用空調装置において、車両用空調ユニットを車両の前席側と後席側とにそれぞれ設けているものが知られている（例えば特許文献１）。
【０００３】
特許文献１に記載の車両用空調装置において、前席側空調ユニットは車両のインストルメントパネルに設けた吹出口から前席乗員に向けて空調風を吹き出し、後席側空調ユニットは車両天井に設けた吹出口から後席乗員に向けて空調風を吹き出すものである。
【特許文献１】特開平９−２４０２５７号公報
【発明の開示】
【発明が解決しようとする課題】
【０００４】
近年、環境保護のため、自動車の燃費向上が望まれており、それに伴って車両用空調装置も省動力化が望まれている。当然、上記のワンボックス車など、車室内空間の広い車両を複数の車両用空調ユニットを用いて空調する場合、よりいっそうの省動力化が望まれることになる。
【０００５】
そこで、本発明の発明者は、冷房時における車両用空調装置の吹出口の位置と、車両用空調装置にかかる負荷との相関関係に注目した。
【０００６】
その結果、インストルメントパネルに設けられた吹出口から前席乗員の上半身に向けて正面から空調風を吹き出す場合に比べ、車両前席天井に吹出口を設け、前席乗員の上半身の上から空調風を吹き出す場合の方が、前席乗員の身体に空調風が当たる面積の増加するという利点があり、少ない動力で冷房能力を確保できることがわかった。
【０００７】
しかしながら、運転席及び助手席が配置される前席側空間を空調する前席側空調ユニットにおいて、車両天井から前席側空調ユニットの空調風を吹き出そうとすると、前席側空調ユニットから車両前席天井まで空調風を送るために、前席側空調ユニットから車両前席天井まで延びる前席側天井ダクトが必要となる。この前席側天井ダクトは車両のフロントウィンドウと前席側サイドウィンドウとの間のピラーを通ることになり、前席側天井ダクトを通すためにピラーが太くなってしまうと、結果として運転者の前方の視界を狭くしてしまうという不具合がある。
【０００８】
本発明は上記のような事情に鑑みてなされたもので、車両の前後それぞれに空調ユニットを搭載する車両において、前席乗員の前方の視界を狭くすることなく、天井から空調風を吹き出すことで効率よく空調を行なうことが可能な車両用空調装置を提供することを目的とする。
【課題を解決するための手段】
【０００９】
請求項１に記載の発明は、後席側空調ユニット（６）には、後席側空間（４）の天井（４ｃ）に配策された通風ダクト（１２、１５、１６）が接続されており、この通風ダクト（１２、１５、１６）は、後席側空間（４）に座る乗員の上半身へ向けて後席側空間（４）の天井（４ｃ）から空調風を吹き出すことで、後席側空間（４）を空調する少なくとも一つ以上の後席側開口部（１５ａ、１５ｂ、１６ａ、１６ｂ）とを備える車両用空調装置であって
前記通風ダクト（１２、１５、１６）には、前席側空間（３）の天井（３ｂ）に配策された通風ダクト延長部（１９、２０）が接続されており、
この通風ダクト延長部（１９、２０）には、前席側空間（３）に座る乗員の上半身へ向けて前席側空間（３）の天井（３ｂ）から空調風を吹き出すことで前席側空間（３）を空調する少なくとも一つ以上の前席側開口部（１９ａ、２０ａ）が設けられていることを特徴とする。
【００１０】
これにより、前席側空間（３）の天井（３ｂ）から前席側空間（３）に座る乗員の上半身へ向けて、後席側空調ユニット（６）からの空調風を吹き出すことができ、少ない動力で冷房能力を確保できる。
【００１１】
そして、通風ダクト（１２、１５、１６）を流れる後席側空調ユニット（６）の空調風を、前席側空間（３）の天井（３ｂ）に配策された通風ダクト延長部（１９、２０）に設けられた前席側開口部（１９ａ、２０ａ）から吹き出すので、上記前席側天井ダクトを設ける必要がなく、前席側空間（３）に座る乗員の前方の視界を狭くすることはない。
【００１２】
請求項２に記載の発明は、請求項１に記載の発明において、通風ダクト延長部（１９、２０）には前席側開口部（１９ａ、２０ａ）から吹き出す空調風の流路を開閉するドア（１９ｂ、２０ｂ）が設けられていることを特徴とする。
これにより、ドア（１９ｂ、２０ｂ）によって前席側開口部（１９ａ、２０ａ）から吹き出す空調風の流路を閉鎖することができるので、後席側空調ユニット（６）からの空調風をすべて後席側開口部（１５ａ、１６ａ、１５ｂ、１６ｂ）から吹き出すことが可能となり、後席側開口部（１５ａ、１６ａ、１５ｂ、１６ｂ）と前席側開口部（１９ａ、２０ａ）の両方から空調風を吹き出す場合に比べて、後席側開口部（１５ａ、１６ａ、１５ｂ、１６ｂ）からの吹出風量を上げることができる。
【００１３】
また、請求項１または２に記載の通風ダクト延長部（１９、２０）は、請求項３に記載したように、通風ダクト（１２、１５、１６）の下流側端部に接続するのが好ましい。
【００１４】
尚、上記各手段に付した括弧内の符号は、後述する実施形態記載の具体的手段との対応関係を示す一例である。
【発明を実施するための最良の形態】
【００１５】
（本実施形態の構成）
以下、本発明の実施形態の構成を図１ないし図３を用いて説明する。図１は本発明が適用されたワンボックスタイプの車両１の断面を示す模式図である。車両１の車室内空間２は、大きく分けて前席３ａ（運転席及び助手席）が設置される前席側空間３と、中席４ａ及び後席４ｂが設置される後席側空間４とに分けられる。
【００１６】
車両１は車両用空調装置として、主に前席側空間３を空調する前席側空調ユニット５と、主に後席側空間４を空調する後席側空調ユニット６とを搭載している。
【００１７】
前席側空調ユニット５は、車室内空間２の前端部に配置されるインストルメントパネル７内に収められており、図示しない前席側送風機ユニットと、前席側エバポレータ５ａ、ヒータコア５ｂ、運転席及び助手席３ａに座る乗員の上半身に向けて正面から空調風を吹き出す吹出口５ｃなどから構成される。
【００１８】
前席側送風機ユニットは、周知のものであり、いずれも図示しない遠心式の送風ファン（シロッコファン）、ファン駆動用モータ、及びスクロールケーシングから構成され、送風ファンの回転数、すなわち車室内への送風量は、ファン駆動用モータに印加される電圧によって制御される。なお、この電圧は車両１に取り付けられた図示しない内気温度センサなどの各種センサ、インストルメントパネル７に設置された図示しないオートエアコンスイッチなどの手動設定装置からの信号に基づいて図示しないＥＣＵによって決定される。
【００１９】
周知のように、内気温度センサは車室内空間２の内気温度を測定するものであり、オートエアコンスイッチは車両用空調装置の吹き出しモード自動制御を開始するスイッチである。
【００２０】
前席側エバポレータ５ａは、アルミニウム等の熱伝導性、耐食性に優れた金属の薄板を二枚張り合わせて構成した偏平チューブを、図示しないコルゲートフィンを介在させて多数積層配置し、一体ろう付けにて接合したものであり、偏平チューブを通過する冷媒と、コルゲートフィンの間をすり抜ける空調空気との間で熱交換を行なうことで、空調空気を冷却するものである。
【００２１】
また、前席側エバポレータ５ａは周知の冷凍サイクルを構成するものである。ここで、周知の冷凍サイクルとは、圧縮機８、コンデンサ９、レシーバ１０、図示しない減圧手段としての膨張弁、前席側エバポレータ５ａとが図示しない冷媒配管で繋がれて構成されるものである。
【００２２】
圧縮機８は、図示しない車両用エンジン付近に設置され、車両用エンジンから回転駆動力を図示しない駆動ベルトにより伝えられて駆動し、冷媒を高温高圧に圧縮して吐出するものである。
【００２３】
コンデンサ９は、車両１の前端部に設置され、圧縮機８から吐出された冷媒を外気と熱交換することにより凝縮するものである。
【００２４】
レシーバ１０は、コンデンサ９に取り付けられており、コンデンサ９で凝縮された冷媒を、液相冷媒と気相冷媒とに分離するとともに、液相冷媒を貯留するものである。
【００２５】
膨張弁は、前席側エバポレータ５ａの冷媒入り口に設けてあり、レシーバ１０からの液相冷媒を低温低圧の気液２相冷媒に減圧し、前席側エバポレータ５ａに送るものである。
【００２６】
前席側エバポレータ５ａに流入した低温低圧の冷媒は、コルゲートフィンを介して空調空気と熱交換をすることにより蒸発する。そして、前席側エバポレータ５ａを出た冷媒は再度、圧縮機８に吸入され、圧縮される。
【００２７】
尚、上記した冷凍サイクルには、後述する後席側空調ユニット６の後席側エバポレータ６ａが、上記した前席側空調ユニット５の前席側エバポレータ５ａと並列に接続されている。
【００２８】
前席側ヒータコア５ｂは、内部をエンジン冷却水が流れ、このエンジン冷却水を熱源として前席側ヒータコア５ｂを通過する空気を加熱するものである。
このヒータコア５ｂは、エンジンから流入するエンジン冷却水流量を制御する図示しない制御弁を有しており、この制御弁によってエンジン冷却水流量を制御することで、空気加熱量を調整し、車室内空間２への吹出空気温度を制御するものである。
【００２９】
後席側空調ユニット６は、車両１のボデーと後席側空間４の間の空間であるサイドトリムに設置されており、後席側空調ユニットケース６ｅ、後席側送風機１１、後席側エバポレータ６ａ、後席側ヒータコア６ｂから構成されており、後席側空調ユニットケース６ｅに設けられたＦＡＣＥ開口部６ｃには後述する上側配風ダクト１２が接続され、ＦＯＯＴ開口部６ｄには後述する下側配風ダクト１２ａが接続されている。
【００３０】
後席側送風機１１は、後席側スクロールケース１１ｄと、中席４ａの下方に設置された空気取り入れ口１１ａと、空気取り入れ口１１ａから後席側スクロールケース１１ｄまで、後席側空間４の床下を配策する後席側空気取り入れダクト１１ｂと、取り込んだ空気を後席側空調ユニット６へと圧送する後席側送風ファン１１ｃとからなる。
【００３１】
後席側エバポレータ６ａは、上述の前席側エバポレータ５ａと同様の構造であり、前記冷凍サイクルに、図示しない冷媒配管によって前席側エバポレータ５ａと並列に接続されている。
【００３２】
後席側ヒータコア６ｂは、上述の前席側ヒータコア５ｂと同様の構成であり、エンジンと、エンジン冷却水が流れる図示しない配管によって前席側ヒータコア５ｂと並列に接続されている。
【００３３】
下側配風ダクト１２ａは、後席４ｂの背後から後席４ｂの下側へと延びており、後席４ｂの足元に設置された後席側ＦＯＯＴ吹出口１２ｂに接続される。
【００３４】
上側配風ダクト１２は、後席側空調ユニット６のＦＡＣＥ開口部６ｃに接続されており、リアウィンドウ１３とサイドウィンドウ１４との間のリアピラー１７を通って配策され、後席側空間４の天井４ｃへと通ずる通風路である。
【００３５】
後席側空間４の天井４ｃにおいて、上側配風ダクト１２は左側配風ダクト１５と右側配風ダクト１６の二手に分かれ、左側配風ダクト１５は後席側空間４の天井４ｃの左側端部に沿って配策され、右側配風ダクト１６は後席側空間４の天井４ｃの右側端部に沿って配策されている（図２、図３参照）。
【００３６】
ここで、図２は、車両１の斜め後から見た後席側空調ユニット６を示す斜視図であり、図３は本実施形態における車両用空調装置が適用されたワンボックスタイプの車両１の天井３ｂ、４ｃに配策される配風ダクトの構造を示す上から見た模式図である。
【００３７】
左側配風ダクト１５及び右側配風ダクト１６には、それぞれ後席用吹出口１５ａ、１６ａ、中席用吹出口１５ｂ、１６ｂが設けられており、後席用吹出口１５ａ、１６ａと中席用吹出口１５ｂ、１６ｂは、上側配風ダクト１２を通って後席側空調ユニット６から送られてきた空調風を中席４ａ及び後席４ｂに座る乗員の上半身に向けて吹き出すものである。
【００３８】
ここで、左側配風ダクト１５の後席用吹出口１５ａは、後席４ｂの左側に着座した乗員の頭部に向けて空調風を吹き出し、中席用吹出口１５ｂは中席４ａの左側に着座した乗員の頭部に向けて空調風を吹き出すものである。また、右側配風ダクト１６の後席用吹き出し口１６ａは、後席４ｂの右側に着座した乗員の頭部に向けて空調風を吹き出し、中席用吹出口１６ｂは中席４ａの右側に着座した乗員の頭部に向けて空調風を吹き出すものである。
【００３９】
さらに左側配風ダクト１５及び右側配風ダクト１６の下流側端部には、前席側空間３の天井３ｂの左側端部に沿って配策された左側配風ダクト延長部１９と、前席側空間３の天井３ｂの右側端部に沿って配策された右側配風ダクト延長部２０が接続されている。
【００４０】
この配風ダクト延長部１９、２０には、前席天井吹出口１９ａ、２０ａと前席天井吹出口開閉ドア１９ｂ、２０ｂが設けられており、左側配風ダクト１５及び右側配風ダクト１６を流れる後席側空調ユニット６からの空調風を、前席側空間３の天井３ｂまで送り、前席天井吹出口１９ａ、２０ａから吹き出すものである。
【００４１】
ここで、左側配風ダクト延長部１９の前席天井吹出口１９ａは、助手席乗員の頭部に向けて空調風を吹き出し、右側配風ダクト延長部２０の前席天井吹出口２０ａは、運転席乗員の頭部に向けて空調風を吹き出すもので、それぞれ左側配風ダクト延長部１９と右側配風ダクト２０の最下流部位に設けられており、配風ダクト延長部１９、２０中に設けられた前席天井吹出口開閉ドア１９ｂ、２０ｂを回動することによって、吹き出す空調風の量が制御されるものである。
【００４２】
ここで、図１中のＡは前席天井吹出口１９ａ、２０ａから前席３ａに座る乗員の頭部までの距離を表し、Ｂは前席側空調ユニット５の吹出口５ｃ前席３ａに座る乗員の頭部までの距離を表すものであり、本実施形態では前席天井吹出口１９ａ、２０ａから前席３ａに座る乗員の頭部までの距離（Ａ）が前席側空調ユニット５の吹出口５ｃ前席３ａに座る乗員の頭部までの距離（Ｂ）よりも短くなっている。
【００４３】
（本実施形態の作動）
次に本実施形態の作動について、図４及び図５を用いて説明する。
【００４４】
図４はオートエアコンスイッチがＯＮされてからの制御を表すフローチャートである。そして図５は、車室内空間２の内気温度の時間変化に応じた前席側空調ユニット５及び後席側空調ユニット６の運転状態と、前席天井吹出口開閉ドア１９ｂ、２０ｂの動作を示す図である。
【００４５】
オートエアコンスイッチがＯＮされると、まずステップＳ１に進み、車室内空間２に設置された内気温度センサによって内気温度を検出する。そしてステップＳ２へと進む。
【００４６】
ステップＳ２では、ステップＳ１で検出した車室内空間２の内気温度が所定の温度Ｔよりも高いかどうかを判定する。所定の温度Ｔよりも高い場合はステップＳ３へと進む。
【００４７】
ステップＳ３では、前席天井出口吹出口開閉ドア１９ｂ、２０ｂを閉じ、配風ダクト延長部１９、２０へ流入する、後席側空調ユニット６からの空調風を遮蔽する。そして、ステップＳ４へと進む。
【００４８】
ステップＳ４では、前席側空調ユニット５と後席側空調ユニット６を共に高出力運転（具体的には前席側送風機ユニットのファン駆動用モータと後席側送風ファン１１ｃを共に最大出力で運転）させることで車室内空間２の内気温度を早急下げる制御を行なう。
【００４９】
ステップＳ２で、内気温度が所定の温度Ｔよりも低い場合はステップＳ５へと進む。
【００５０】
ステップＳ５では、前席天井出口吹出口開閉ドア１９ｂ、２０ｂを開く。この時、配風ダクト延長部１９、２０へは後席側空調ユニット６からの空調風が流入する。そして、ステップＳ６へと進む。
【００５１】
ステップＳ６では、前席側空調ユニット５を低出力運転（具体的には、前席天井吹出口１９ａ、２０ａを設けない場合に前席側送風機ユニットのファンが通常求められる出力よりも低い出力で前席側送風機ユニットのファンを運転する）、または停止させ、後席側空調ユニット６を高出力運転させることで車室内空間２を空調する。このとき、後席側空調ユニット６から送られてくる空調風は、後席用吹出口１５ａ、１６ａと中席用吹出口１５ｂ、１６ｂとから中席４ａと後席４ｃに座る乗員の上半身に向けて空調風を吹き出すとともに、配風ダクト延長部１９、２０を通り、前席天井吹出口１９ａ、２０ａから前席３ａに座る乗員の上半身に向けて吹き出される。
【００５２】
このように、車室内空間２の内気温度が所定の温度Ｔよりも高い時は、前席側空調ユニット５と後席側空調ユニット６とを、共に高出力で運転させる。そして、前席天井吹出口開閉ドア１９ｂ、２０ｂを、通風ダクト延長部１９、２０に流れ込む後席側空調ユニット６からの空調風を遮蔽する位置へ回動させ、後席側空調ユニット６からの空調風が前席天井吹出口１９ａ、２０ａから吹き出すことを防ぐ。これによって、前席側空間３は前席側空調ユニット５を用いて空調し、後席側空間４は後席側空調ユニット６を用いて空調することができる。よって後席側空調ユニット６の冷房能力を後席側空間４に集中させることができる。
【００５３】
また、車室内空間２の内気温度が所定の温度Ｔよりも低い時は、前席側空調ユニット５を低出力運転または停止させる。そして、前席天井吹出口開閉ドア１９ｂ、２０ｂを、配風ダクト延長部１９、２０へ空調風が流れ込む位置へ回動させることで、後席側空調ユニット６からの空調風を前席天井吹出口１９ａ、２０ａから吹き出し、主に後席側空調ユニット６を用いて前席側空間３と後席側空間４を共に空調する。
【００５４】
（本実施形態の効果）
後席側空調ユニットの空調風を、配風ダクト延長部１９、２０を介して前席天井吹出口１９ａ、２０ａから吹き出すことができるので、前席３ａに座る乗員の身体に空調風が当たる面積の増加し、さらに前席側空調ユニット５の吹出口５ｃから前席側空調ユニット５の空調風を吹き出す場合に比べて前席乗員の頭部近い位置から空調風を吹き出すことができるとう利点があり、少ない動力で冷房能力を確保できる。これにより、前席側空調ユニット５を低出力運転または停止させることができ、省動力化することができる。
【００５５】
さらに、後席側空調ユニット６のＦＡＣＥ開口部６ｃに接続される上側配風ダクト１２は、サイドトリムから後席側空間４の天井４ｃへ、リアピラー１７を通って配策されるので、前席側空調ユニット５から前席側空間３の天井３ｂまで延びる配風ダクトを設ける必要がなく、乗員の前方の視界を狭くすることはない。
【００５６】
また本実施形態では、内気温度センサによって検出された車室内空間２の内気温度がある所定の温度Ｔよりも高い場合は、前席側空調ユニット５と後席側空調ユニット６とを両方用いて空調を行ない、内気温度が所定の温度Ｔよりも低いときは、前席側空調ユニット５を低出力で運転または停止する。
【００５７】
これにより、内気温度が高く、大きな冷房能力を必要とする時は、前席側空調ユニット５、後席側空調ユニット６の併用をすることによって空調し、冷房によって内気温度が下がってくると、主に後席側空調ユニット６を用いて前席天井吹出口１９ａ、２０ａ、及び中席用吹出口１５ｂ、１６ｂ、後席用吹出口１５ａ、１６ａから空調風を吹き出すことによって車室内空間２を効率よく空調する。
【００５８】
加えて、本実施形態では、配風ダクト延長部１９、２０に、前席天井吹出口開閉ドア１９ｂ、２０ｂを備えており、前席天井吹出口１９ａ、２０ａへ流入する空調風の量をこの前席天井吹出口開閉ドア１９ｂ、２０ｂを回動させることで制御する。
【００５９】
そして、車室内空間２の内気温度がある所定の温度Ｔよりも高い場合は、前席天井吹出口開閉ドア１９ｂ、２０ｂを前席天井吹出口１９ａ、２０ａへ流れ込む空調風を遮蔽する位置に回動させ、所定の温度Ｔよりも低いときは、前席天井吹出口開閉ドア１９ｂ、２０ｂを前席天井吹出口１９ａ、２０ａに流れ込む空調風を遮蔽しない位置へ回動させる。
【００６０】
これにより、車室内空間２の内気温度がある所定の温度Ｔよりも高い場合は、前後二つの空調ユニット５、６が前席側空間３と後席側空間４をそれぞれ分担して空調でき、後席側空調ユニット６の冷房能力を後席側空間４に集中させることができ、車室内空間２の内気温度を早急に下げることができる。そして、内気温度が所定の温度Ｔよりも低い場合は、後席側空調ユニット６からの空調風を前席天井吹出口１９ａ、２０ａから吹き出すことにより、主に後席側空調ユニット６を用いて、少ない負荷で空調レベルを維持することができる。
【００６１】
さらに、後席側空調ユニット６の空気取り入れ口１１ａを後席側空間４の中席４ａの下側に設置しているので、後席側空調ユニット６に取り込まれる空気を、比較的温度の低い所から取り入れることができ、後席側空調ユニット６の負荷を軽減することができる。
【００６２】
（他の実施形態）
上記実施形態では、後席側空調ユニット６を車両１のボデーと車室内空間２の間の空間であるサイドトリムに設置したが、本発明はこれに限られるものではなく、後席側空調ユニット６から運転席及び助手席３ａに座る乗員の上半身と後部座席に座る乗員の上半身に、車室内空間２の天井から吹き出すことができるものであれば、後席側空調ユニット６を車室内空間２の床下に設置して、サイドピラー１８を通して上側通風路１２を天井３ｂ、４ｃまで配策するようにしても良いし（図６参照）、後席側空調ユニット６を車室内空間２の天井４ｃに取り付けるようにしても良い。
【００６３】
また、上記実施形態では、配風ダクト延長部１９、２０を左側配風ダクト１５及び右側配風ダクト１６の下流側端部に接続したが、本発明はこれに限られるものではなく、配風ダクト延長部１９、２０を接続するのは流路端部からでなくてもよい。
【００６４】
また、所定の温度Ｔを車両外部の温度や、日射量、季節などに応じて変更するようにしても良い。
【図面の簡単な説明】
【００６５】
【図１】本発明が適用されたワンボックスタイプの車両１の断面を示す模式図である。
【図２】車両１の斜め後から見た後席側空調ユニット６を示す斜視図である。
【図３】本発明が適用されたワンボックスタイプの車両１の天井に配策される配風ダクトの構造を示す模式図である。
【図４】エアコンスイッチがＯＮされてからの制御を表すフローチャートを示す図である。
【図５】車室内温度の時間変化に応じた前席側空調ユニット５及び後席側空調ユニット６の運転状態と、前席天井吹出口開閉ドア１９ｂ、２０ｂの動作を示す図である。
【図６】他の実施形態の構成を示す断面模式図である。
【符号の説明】
【００６６】
１…車両、
２…車室内空間、
３…前席側空間、
３ａ…前席、
３ｂ…  天井、
４…後席側空間、
４ａ…中席、
４ｂ…後席
４ｃ…天井、
５…前席側空調ユニット、
５ａ…前席側エバポレータ、
５ｂ…前席側ヒータコア、
５ｃ…各種吹出口、
６…後席側空調ユニット、
６ａ…後席側エバポレータ、
６ｂ…後席側ヒータコア、
６ｃ…ＦＡＣＥ開口部、
６ｄ…ＦＯＯＴ開口部、
７…インストルメントパネル、
８…圧縮機、
９…コンデンサ、
１０…レシーバ、
１１…後席側送風機、
１１ａ空気取り入れ口、
１１ｂ…空気取り入れダクト、
１１ｃ…後席側送風ファン、
１１ｄ…後席側スクロールケース、
１２…上側配風ダクト、
１２ａ…下側配風ダクト、
１２ｂ…後席側ＦＯＯＴ吹出口、
１３…リアウィンドウ、
１４…サイドウィンドウ、
１５…左側配風ダクト、
１５ａ…後席用吹出口、
１５ｂ…中席用吹出口、
１６…右側配風ダクト、
１６ａ…後席用吹出口、
１６ｂ…中席用吹出口、
１７…リアピラー、
１８…サイドピラー、
１９…配風ダクト端部、
１９ａ…前席天井吹出口、
１９ｂ…前席天井吹出口開閉ドア、
２０…配風ダクト端部、
２０ａ…前席天井吹出口、
２０ｂ…前席天井吹出口開閉ドア。
【図１】
2005029049.tif 000003
【図２】
2005029049.tif 000004
【図３】
2005029049.tif 000005
【図４】
2005029049.tif 000006
【図５】
2005029049.tif 000007
【図６】
2005029049.tif 000008